(57)【要約】      （修正有）【課題】筐体内部空間で発生した気泡がフィルタ部に集まり、大きな気泡へと成長し開口部を塞ぎ、その結果、測定対象の液体の筐体内部空間への適正な流入が阻害されることがなく、また、いかなる方向で敷設されても、少なくとも１つの開口部が敷設面によってふさがれずに開放される電界検出器を提供する。【解決手段】電界検出器は、内方に空間２ａが形成された筺体２と、空間内に配設された電極３を備える。筐体外部と筐体内部空間を連通する開口部２ｂ，２ｃ，２ｄを、筐体の筒の中心軸に直交する方向に、かつ中心軸回り方向に、等間隔に複数個設ける。【選択図】図１
0003172861.tif 000002
【実用新案登録請求の範囲】
【請求項１】
内方に空間が形成された筐体と、前記空間内に配設された電極と、前記空間と筐体外部とをフィルタを介して連通させる複数の開口部を備えた電界検出器において、前記複数の開口部が、前記筐体をいかなる方向で敷設しても、少なくとも１つの開口部が敷設面によってふさがれずに開放されるように配置されていることを特徴とする電界検出器。
【請求項２】
前記複数の開口部が、筒形状である前記筐体の筒の中心軸に直交する方向に、かつ中心軸回り方向に、等間隔に開口していることを特徴とする請求項１記載の電界検出器。
【請求項３】
前記複数の開口部が、３か所以上であることを特徴とする請求項１または２に記載の電界検出器。
【考案の詳細な説明】
【技術分野】
【０００１】
本考案は、水中（特に海中）に沈めて水中の微小電圧を測定する電界検出器に関する。
【背景技術】
【０００２】
従来、電界検出器は、水中又は海中で電位を測定するために使用するもので、筐体内部の空間に電極部を設け、筐体に設けられた開口部を通して筐体内部の空間に流入する液体と電極部が接触することによって微小電位を測定している。
【０００３】
図２は、従来の電界検出器を示したものである。電界検出器１１は、筐体１２と、筐体１２の内部の空間１２ａに配設された電極１３と、電極１３より引き出されたリード線１４と、筐体外部と連通する空間１２ａの開口部１２ｂと、開口部１２ｂに装着されたフィルタ１６を備え、さらに、空間１２ａには、測定対象の液体と同等の液体１５が封入されている。
【０００４】
微小電位の測定時には、電界検出器１１は水中に投入される。水中に投入された電界検出器１１は、筐体１２外部の測定対象の液体がフィルタ１６を介して空間１２ａに流入し、空間１２ａに封入されている液体１５と混合および置換し、空間１２ａは測定対象の液体で満たされ、電極１３は測定対象の液体と接触し、測定対象の液体の電位が電極１３によって測定される。
【０００５】
特許文献１には、「電界検出器の筐体開口部に水溶性部材を採用することによって、筐体内部空間のシール機能と液体を取り込む機能を併有させる」手段が開示されている。
【先行技術文献】
【特許文献】
【０００６】
【特許文献１】特開２００９−０４２１３６号公報
【考案の概要】
【考案が解決しようとする課題】
【０００７】
電界検出器において、筐体外部と筐体内部空間を連通する開口部が１箇所であるため、筐体内部空間で発生した微小な気泡がフィルタ部に集まり、大きな気泡へと成長し、開口部が塞さがれ、また、筐体が海底に載設されたとき、海底の砂に埋まって開口部が塞さがれる場合が発生する。その結果、測定対象液体の筐体内部空間への適正な流入が阻害されるため、微小電位の正しい測定ができない場合が発生する。
【課題を解決するための手段】
【０００８】
前記課題を解決するために、本考案は、内方に空間が形成された筐体と、前記空間内に配設された電極と、前記空間と筐体外部とをフィルタを介して連通させる複数の開口部を備えた電界検出器において、前記複数の開口部が、前記筐体をいかなる方向で敷設しても、少なくとも１つの開口部が敷設面によってふさがれずに開放されるように配置されているものである。
【０００９】
本考案は、前記複数の開口部が、筒形状である前記筐体の筒の中心軸に直交する方向に、かつ中心軸回り方向に、等間隔に開口していることが好適である。
【００１０】
本考案は、前記複数の開口部が、３か所以上であることが望ましい。
【考案の効果】
【００１１】
複数個の筐体開口部を設けることにより、筐体内部空間で発生する気泡によって引き起こされる筐体開口部のフィルタの目詰まり箇所を分散することができる。すなわち、気泡は通常、水中において上方に移動するので、筐体内部空間で発生した気泡は上向きの開口部に集合し、下向きの開口部の気泡は排除される。したがって、気泡の排除された開口部から測定対象液体の適正な流入が確保でき、微小電位の正しい測定が可能となる。
【図面の簡単な説明】
【００１２】
【図１】本考案の実施例である電界検出器を示す。（ａ）に正面図（Ａ−Ａ断面図）を、（ｂ）に左側面図（Ｂ−Ｂ断面図）を示す。
【図２】従来の電界検出器を示す。
【考案を実施するための形態】
【００１３】
図１は、本考案の実施例である電界検出器を示したものである。（ａ）に正面図（Ａ−Ａ断面図）を、（ｂ）に左側面図（Ｂ−Ｂ断面図）を示す。図１に示す電界検出器１は、内部に空間２ａを形成する筒状の筐体２と、空間２ａに配設された電極３と、電極３より引き出されたリード線４と、筐体外部と連通する空間２ａに設けられた３か所の開口部２ｂ、２ｃおよび２ｄと、各開口部に設置された３個のフィルタ６ｂ、６ｃおよび６ｄを備え、さらに、空間２ａには、測定対象の液体と同等の液体５が封入されている。
【００１４】
微小電位の計測において、電界検出器１は水中に投入され、海底に載設される。一例として、水中に投入された電界検出器１の筐体軸周りの角度位置が図１（ｂ）の状態とする。水中に投入された電界検出器１は、筐体２外部の測定対象の液体が３か所の開口部２ｂ、２ｃおよび２ｄに設置された３個のフィルタ６ｂ、６ｃおよび６ｄを介して空間２ａに流入し、空間２ａに封入されている液体５と混合および置換される。したがって、空間２ａは測定対象の液体で満たされ、電極３は測定対象の液体と接触し、液体の電位が電極３によって測定される。
【００１５】
しかしながら、長期にわたり海底等に載設して測定を行う場合、空間２ａ内の流体から発生した微小な気泡が、上向きの開口部２ｂのフィルタ６ｂおよび横向きの開口部２ｃのフィルタ６ｃに徐々に集合して時間とともに大きな気泡へと成長し、ある時点からフィルタ６ｂおよび６ｃの目を塞ぐ。
【００１６】
しかし、下向きの開口部２ｄ近辺で発生した微小な気泡は、上向きまたは横向きの開口部２ｂおよび２ｃの方へ移動するため、フィルタ６ｄは気泡による目詰まりは発生しないで、測定対象液体の空間２ａへの適正な流入を継続して確保できるため、微小電位の正しい測定が可能となる。
【００１７】
なお、複数個設置する開口部の個数について、２個の場合、開口部が水平方向状態で海底に載設されると、気泡が上方に移動できないため、開口部は３個以上であることが望ましい。また、図１（ａ）に示す筐体軸が海底と平行に載設された時、海底の砂に埋まって開口部が塞さがれる場合が想定されるので、それを避けるために最適な開口部の個数が選定される。また、筐体軸が海底に垂設されたとき、海底の砂に埋まって開口部が塞さがれることが生起しないために、図１（ａ）における筐体左端面から開口部までの距離Ｌが最適に選定される。なお、図１には、一例として筒形状を円筒として図示しているが、海底に敷設したときに開口部が塞がれない限りにおいて、円筒に限定されるものではない。以上、実施例について説明したが、海底に敷設した際に、少なくともいずれかの開口部が海底の砂によってふさがれないように筐体に開口部を複数設ける限りにおいて、その開口部の配置および筒形状を種々選択可能である。
【符号の説明】
【００１８】
１、１１  電界検出器
２、１２  筐体
２ａ、１２ａ  空間
２ｂ、２ｃ、２ｄ、１２ｂ  開口部
３、１３  電極
４、１４  リード線
５、１５  液体
６ｂ、６ｃ、６ｄ、１６  フィルタ
Ｌ  距離
【図１】
0003172861.tif 000003
【図２】
0003172861.tif 000004